(57)【特許請求の範囲】
【請求項１】
表示機器と通信する通信手段を有する撮像処理装置であって、
撮影画像を取得する撮影画像取得手段と、
前記撮影画像取得手段によって撮影画像を取得した際に、前記通信手段により通信可能な状態にある表示機器の１つを特定し、この特定した表示機器から表示データを受信する受信手段と、
前記撮影画像取得手段によって取得した撮影画像内の部分画像と、前記受信手段により受信した表示データに対応する表示画像とが類似するか否かを判断する判断手段と、
前記判断手段により前記部分画像と前記表示画像とが類似すると判断された場合に、この表示画像を前記撮影画像内の部分画像に置き換える置換手段と、
を有することを特徴とする画像処理装置。
【請求項２】
前記置換手段は、前記判断手段により前記部分画像と前記表示画像とが類似すると判断された場合に、この表示画像を前記撮影画像内の部分画像に置き換えて合成することを特徴とする請求項１に記載の画像撮影装置。
【請求項３】
前記判断手段の判断結果に応じて、前記撮影画像取得手段によって取得した撮影画像または前記置換手段によって合成された合成画像のいずれかを選択的に記録または出力する出力手段を更に備えたことを特徴とする請求項２に記載の画像撮影装置。
【請求項４】
前記受信手段は、前記撮影画像取得手段によって撮影画像を取得した際に、前記通信手段により通信可能な状態にある複数の表示機器の各々から表示データを受信し、
前記判断手段は、前記受信手段により受信した複数の表示データの各々に対して、該表示データに対応する表示画像と前記撮影画像取得手段によって取得された撮影画像内の部分画像とが類似するか否かを判断し、
前記撮影画像取得手段によって取得された撮影画像内の部分画像が、前記受信手段により表示データを受信した複数の表示機器の中でいずれの表示機器によって表示された表示画像に対応するものであるかを前記判断手段の判断結果に応じて特定する特定手段を更に備えたことを特徴とする請求項１乃至３に記載の画像撮影装置。
【請求項５】
前記置換手段は、前記受信手段により受信した複数の表示データの中で、前記特定手段により特定された表示機器から受信した表示データに対応する表示画像を前記撮影画像内の部分画像に置き換えることを特徴とする請求項４に記載の画像撮影装置。
【請求項６】
表示機器と通信する通信手段を有する画像処理装置を制御するプログラムを格納した記憶媒体であって、
前記画像処理装置を、
撮影画像を取得する撮影画像取得手段と、
前記撮影画像取得手段によって撮影画像を取得した際に、前記通信手段により通信可能な状態にある表示機器の１つを特定し、この特定した表示機器から表示データを受信する受信手段と、
前記撮影画像取得手段によって取得した撮影画像内の部分画像と、前記受信手段により受信した表示データに対応する表示画像とが類似するか否かを判断する判断手段と、
前記判断手段により前記部分画像と前記表示画像とが類似すると判断された場合に、この表示画像を前記撮影画像内の部分画像に置き換える置換手段と、
して機能させるプログラムを格納したことを特徴とする記憶媒体。
【発明の詳細な説明】
【０００１】
【発明の属する技術分野】
本発明は、通信機能を有する画像処理装置に係り、詳細には、他の表示装置の表示画像を画像撮影機で撮影した際の画像の処理を行う画像処理装置に関する。
【０００２】
【従来の技術】
近年、ＣＲＴ（Cathode Ray Tube）、ＬＣＤ（Liquid Crystal Display）等の表示装置が広く用いられるようになり、ネット検索や電子ゲームの表示手段、さらには各種ショーにおける展示等、様々な場所で用いられるようになった。一方、デジタルカメラやムービー等の電子式の画像撮影装置の普及もめざましく、従来の光学式カメラや８ミリビデオに対して世代交代しつつある。また、ＣＲＴ、ＬＣＤ等の表示画像をデジタルカメラ等によって撮影することや、表示画面を操作者とともに撮影することも多くなってきた。特に、各種ショーのレポート等において、プロカメラマンによって、ＣＲＴ等で表示された展示画像が撮影されたり、表示画像とそれについて説明する人のプレゼンテーションの様子が撮影されることが多く、ショーのレポートを見る人にとって、会場の臨場感あふれる情報が入手できるようになってきた。
【０００３】
【発明が解決しようとする課題】
上記のように、表示画像を撮影することは、一部のプロカメラマンには行われているが、一般の人にとっては、画像部分が不鮮明になる場合が多く、非常に難しいものである。
【０００４】
その理由は、いったん表示されたものを再度撮影することによる画像の劣化の問題の他に、表示画像の発光等によるにじみのため撮影画像が不鮮明になる問題、表示装置が走査線ごとに画面の上から下に順次表示データを出力して表示することによるちらつきの問題、表示装置の表面のガラス面等の反射の問題等がある為である。
【０００５】
上記のような各種の問題の為に、従来、表示画面を撮影して鮮明な画像を得るには高度な技術を要し、一般の人にとっては、鮮明な表示画面を撮影することは、ほとんど不可能ともいえる作業であった。
【０００６】
本発明の課題は、画像表示装置の表示画像を撮影装置で撮影した際に、撮影された表示画像を鮮明にする画像表示処理装置を提供することである。
【０００７】
【課題を解決するための手段】
請求項１記載の画像処理装置は、表示機器と通信する通信手段を有する撮像処理装置であって、撮影画像を取得する撮影画像取得手段と、前記撮影画像取得手段によって撮影画像を取得した際に、前記通信手段により通信可能な状態にある表示機器の１つを特定し、この特定した表示機器から表示データを受信する受信手段と、前記撮影画像取得手段によって取得した撮影画像内の部分画像と、前記受信手段により受信した表示データに対応する表示画像とが類似するか否かを判断する判断手段と、前記判断手段により前記部分画像と前記表示画像とが類似すると判断された場合に、この表示画像を前記撮影画像内の部分画像に置き換える置換手段と、を有することを特徴とする。
また、請求項２記載の画像処理装置は、請求項１記載の画像処理装置において、前記置換手段は、前記判断手段により前記部分画像と前記表示画像とが類似すると判断された場合に、この表示画像を前記撮影画像内の部分画像に置き換えて合成することを特徴とする。
また、請求項３記載の画像処理装置は、請求項２記載の画像処理装置において、前記判断手段の判断結果に応じて、前記撮影画像取得手段によって取得した撮影画像または前記置換手段によって合成された合成画像のいずれかを選択的に記録または出力する出力手段を更に備えたことを特徴とする。
【０００９】
また、請求項４記載の画像処理装置は、請求項１乃至３記載の画像処理装置において、前記受信手段は、前記撮影画像取得手段によって撮影画像を取得した際に、前記通信手段により通信可能な状態にある複数の表示機器の各々から表示データを受信し、前記判断手段は、前記受信手段により受信した複数の表示データの各々に対して、該表示データに対応する表示画像と前記撮影画像取得手段によって取得された撮影画像内の部分画像とが類似するか否かを判断し、前記撮影画像取得手段によって取得された撮影画像内の部分画像が、前記受信手段により表示データを受信した複数の表示機器の中でいずれの表示機器によって表示された表示画像に対応するものであるかを前記判断手段の判断結果に応じて特定する特定手段を更に備えたことを特徴とする。
【００１１】
また、請求項５記載の画像処理装置は、請求項４記載の画像処理装置において、前記置換手段は、前記受信手段により受信した複数の表示データの中で、前記特定手段により特定された表示機器から受信した表示データに対応する表示画像を前記撮影画像内の部分画像に置き換えることを特徴とする。
また、請求項６記載の記憶媒体は、表示機器と通信する通信手段を有する画像処理装置を、前記画像処理装置を、撮影画像を取得する撮影画像取得手段と、前記撮影画像取得手段によって撮影画像を取得した際に、前記通信手段により通信可能な状態にある表示機器の１つを特定し、この特定した表示機器から表示データを受信する受信手段と、前記撮影画像取得手段によって取得した撮影画像内の部分画像と、前記受信手段により受信した表示データに対応する表示画像とが類似するか否かを判断する判断手段と、前記判断手段により前記部分画像と前記表示画像とが類似すると判断された場合に、この表示画像を前記撮影画像内の部分画像に置き換える置換手段と、して機能させるプログラムを格納したことを特徴とする。
【００１３】
【発明の実施の形態】
図１は、本実施の形態における画像処理装置１０の内部構成を示すブロック図である。画像処理装置１０は、ＣＰＵ１１と、メモリ１２と、記憶媒体１３と記憶媒体読取部１４と、入力部１５と、表示部１６と、近距離通信部１７及び電送制御部１８と画像入力部１９ａと画像出力部１９ｂから構成されており、記憶媒体１３を除く各部はバスによって接続されている。さらに、電送制御部１８は、ネットワーク５０と接続可能になっている。
【００１４】
また、画像入力部１９ａは、外部の画像撮影装置４０と接続され、画像出力部１９ｂは、外部の画像記録装置３０と接続される。
【００１５】
ＣＰＵ（Central Processing Unit）１１は、メモリ１２に記憶された画像処理プログラム１２ａに従って、画像入力部１９ａから入力された撮影画像を取得し、近距離通信部１７から受信した表示機器２０の表示データと所定の画像処理を行って、画像出力部１９ｂから外部に出力する、という一連の画像処理を実行する。
【００１６】
メモリ１２は、画像処理プログラム１２ａを記憶し、ＣＰＵ１１はこのプログラムに従って上記処理を実行する。また、本プログラムを実行する際の各種データやワークエリア１２ｅを有する。
【００１７】
記憶媒体１３は、プログラムやデータ等が予め記憶され、磁気的、光学的記憶媒体、若しくは半導体メモリで構成されている。この記憶媒体１３は記憶媒体読み取り部１４に固定的に設けたもの、若しくは着脱自在に装着するものであり、この記憶媒体１３には画像処理プログラム等の画像処理装置１０に対応する各種アプリケーションプログラムが記憶される。
【００１８】
入力部１５は、画像処理の開始キー等を含み、開始キー等の出力によってＣＰＵ１１は、所定の画像処理プログラムの実行を開始する。表示部１６は、ＣＲＴ等により構成され、外部から入力された画像処理により合成された合成画像等を表示する。
【００１９】
近距離通信部１７は、近距離通信機器である表示機器２０を通信を行う。ここで、近距離通信の手段としては、赤外通信・近距離無線通信などが含まれる。近距離通信部１７によって、表示機器２０の表示機器の機器情報や表示データを受信する。
【００２０】
電送制御部１８は、ネットワーク回線と接続され、ネットワーク回線を介して画像処理プログラム等のプログラムやデータ等を取得し、取得されたプログラムやデータ等は、メモリ１２に保存される。
【００２１】
画像入力部１９ａは、外部の画像撮影装置４０で撮影された撮影画像を入力する。画像出力部１９ｂは、画像処理プログラムで合成した合成画像を、外部に接続された画像記録装置３０等に対して出力する。
【００２２】
ここで、メモリ１２に記憶されたプログラム及びデータについて図１のメモリ１２の各項目ごとに説明する。画像処理プログラム１２ａは、ＣＰＵが行う画像処理の為のプログラムであって、画像入力部１９ａから入力された撮影画像を取得し、近距離通信部１７から受信した表示機器２０の表示データと所定の画像処理を行って、画像出力部１９ｂから外部に出力する、という一連の画像処理をＣＰＵの処理可能な言語により記述している。各近距離機器は、自己の機器の種類を示す情報を有しており、自己の近くの各近距離機器と近距離通信を行うが、この際それぞれの機器が機器情報を交換しあって、相手の機器の種類を相互認識して、所定の種類の機器と必要なデータを送受信する。自己の機器情報１２ｂ１には、画像処理装置の機器情報が記憶される。表示付き機器の機器情報１２ｂ２には、ＴＶ、一体型ＰＣ、ディスプレイ装置であることを示す各機器情報が記憶され、この情報によって、画像データの受信相手であることを認識する。撮影画像１２ｃは、画像入力部１９ａから入力された画像撮影装置からの撮影画像が記憶される。合成画像１２ｄは、本プログラムによる画像処理によって合成された合成画像が記憶される。画像ワークエリア１２ｅは、画像合成処理のためのワークエリアとして利用される。
【００２３】
次に、表示機器２０の構成を説明する。図２は、表示機器２０の内部構成を示すブロック図である。この図２において、表示機器２０は、ＣＰＵ２１と、メモリ２２と、記憶媒体２３と記憶媒体読取部２４と、入力部２５と、表示部２６と、近距離通信部２７と、電送制御部２８と操作装置入力部２９とから構成されており、記憶媒体２３を除く各部はバスによって接続されている。電送制御部２８はネットワーク５０と接続可能になっている。また、操作装置入力部２９は、足パッドによるゲーム操作用の操作装置７０と接続可能になっている。
【００２４】
ＣＰＵ（Central Processing Unit）２１は、メモリ２２に記憶された通信機能付き表示プログラム２２ａに従って、表示データを作成して、表示部２６に表示し、さらに近距離通信によって、画像処理装置と認識された機器に、表示画像に対応する表示データを送信する一連の通信機能付き表示処理を実行する。なお、この表示プログラムは、記憶媒体に記憶されたゲームプログラム又は伝送制御部２８を介してネットワーク５０から取得したゲームプログラムをサブプログラムとして含んでおり、このゲームプログラムに従ってゲーム画面作成して、表示処理を行う。
【００２５】
メモリ２２は、通信機能付き表示処理プログラム２２ａを記憶し、ＣＰＵ２１はこのプログラムに従って上記処理を実行する。また、自己の機器情報２２ｂを有しており、表示機器であることを示す機器情報を記憶する。また、表示画像２２ｃを有し、表示部に表示された画像に対応する表示データを記憶する。
【００２６】
記憶媒体２３は、プログラムやデータ等が予め記憶され、磁気的、光学的記憶媒体、若しくは半導体メモリで構成されている。この記憶媒体２３は記憶媒体読み取り部２４に固定的に設けたもの、若しくは着脱自在に装着するものであり、この記憶媒体２３には通信機能付き表示プログラム及び表示プログラムのサブプログラムとして動作する各種ゲームプログラムやデータ等が記憶される。
【００２７】
入力部２５は、表示処理の開始キー等を含み、開始キー等の出力によってＣＰＵ２１は、所定の表示プログラムの実行を開始する。表示部２６は、ＣＲＴ等により構成され、表示データを表示する。
【００２８】
近距離通信部２７は、近距離通信機器である画像処理装置１０と通信を行う。ここで、近距離通信の手段としては、赤外通信・近距離無線通信などが含まれる。近距離通信部２７によって、表示機器２０の表示機器の機器情報や表示データを送信する。
【００２９】
電送制御部２８は、ネットワーク５０と接続され、ネットワーク５０を介して画像処理プログラム及び各種アプリケーションプログラム等のプログラムやデータ等を取得し、取得されたプログラムやデータ等は、メモリ２２に保存される。
【００３０】
操作装置入力部２９は、足パッドによるゲーム操作用の操作装置７０と接続され、通信機能付き表示プログラムのサブプログラムであるゲームプログラムの操作が操作装置７０によって行われた際、その操作データを入力する。
【００３１】
以下、表示機器２０及び画像処理装置１０の処理の動作を説明する。外部の画像撮影装置４０で、表示機器２０の表示画像を含む撮影が行われる。画像処理装置１０は、画像撮影装置４０で撮影された画像を画像入力する。また表示機器２０の表示画像に対応する表示データを近距離通信によって受信し、画像入力した撮影画像に対して、受信した表示データを合成して、鮮明な画像を作成して合成画像として出力する。
【００３２】
図５は、本発明に係る画像処理装置１０を用いて、表示機器２０の表示画面を含む鮮明な撮影画像を得る際の撮影例を示すものである。
【００３３】
表示機器２０は、足パッドタイプの操作装置７０に連動して動作するゲームプログラムを通信機能付き表示プログラム２２ａの中のサブプログラムとして動作している。そして、操作装置７０により操作に応じて操作装置入力部２９から操作データが入力され、そのデータに応じてゲームプログラムによって作成されたゲーム画面が表示部２６に表示される。操作者６０は、足パッドタイプの操作装置７０に対して足で操作を行い、操作に応じて表示部２６のゲームの動画が変化する。
【００３４】
画像処理装置は１０は、画像撮影装置４０と接続され、撮影画像が画像処理装置１０に入力される。画像撮影装置４０は、操作者６０と操作者が操作する操作装置７０及び、表示機器２０の表示部２６に映し出された表示画像を含む画像を撮影する。
【００３５】
図６（ａ）は、このようにして撮影された撮影画像である。ここで、撮影画像には、表示機器２０の表示画像の部分３１ａ、操作者の撮影画像部分３２、操作装置の撮影画像３３が含まれている。
【００３６】
次に、表示機器２０における表示データ送信処理の動作を説明する。図３は、表示機器２０のＣＰＵ２１によって実行される表示データ送信処理の動作を示すフローチャートである。図３において、ＣＰＵ２１は、メモリ２２に記憶された通信機能付き表示プログラム２２ａに従って、表示プログラム内にサブプログラムとして含むゲームプログラムに従って、ゲーム画面の表示データを作成する（ステップＳ１）。
【００３７】
次にステップＳ２に進み、表示画像データを表示部に表示する。図５において、アプリケーションプログラムの表示内容が表示部２６に表示される。
【００３８】
次にステップＳ３に進み、近距離通信によって近距離の機器情報を認識する。他の通信機能付き機器には、画像処理装置１０が含まれる。各通信機能付き機器は、自己の機器の種類の情報を含む機器情報を発信するとともに、他の通信機能付き機器からその機器情報を受信する。このようにして、他の通信機能付き機器からの機器情報を受信があれば、近距離の機器があると検知される。
【００３９】
次にステップＳ４に進み、近距離の機器があると検知された場合は、ステップＳ５に進み、検知されなかった場合は、Ｓ１に戻る。
【００４０】
ステップＳ５では、検知された機器の機器情報は、画像処理装置であるかを検知する。ステップＳ５で、画像処理装置あると検知されなかった場合は、ステップＳ７に進み、近距離通信によって他の近距離の機器情報を認識する。そして、ステップＳ８で他の近距離の電子機器ありと検知された場合は、ステップＳ５に戻り（ステップＳ８：Ｙｅｓ→ステップＳ５）、ステップＳ８で他の近距離の電子機器なしと検知された場合は、ステップＳ１に戻る（ステップＳ８：Ｎｏ→ステップＳ１）。
【００４１】
ステップＳ５で、画像処理装置であると検知された場合は、ステップＳ６に進み、近距離通信によってこの画像処理装置に表示画像データを通信画像データとして送信する。図５において、近距離の電子機器が画像処理装置１０であると検知された場合は、表示部２６に表示されたアプリケーションプログラムの表示データを通信画像データとして画像処理装置１０に送信する。
【００４２】
次に、画像処理装置１０における画像処理の動作を説明する。図４は、画像処理装置１０のＣＰＵ１１によって実行される画像処理の動作を示すフローチャートである。図４において、ＣＰＵ１１は、画像入力部１９ａから外部の画像撮影装置で撮影された撮影画像を取得する（ステップＡ１）。
【００４３】
図５のように表示部２６の表示画像を含む画像が画像撮影装置４０によって撮影された場合、この撮影画像は図６（ａ）に示すように、撮影画像の中の表示画像部分３１ａが不鮮明な画像になる。その理由は、いったん表示されたものを再度撮影することによる画像の劣化、表示画像の発光等によるにじみのため撮影画像が不鮮明になる、表示装置が走査線ごとに画面の上から下に順次表示データを出力して表示することによるちらつき、表示装置の表面のガラス面等の反射等の種々の問題の為である。図６（ａ）は、表示機器の表示画像を含む撮影画像であるが、表示機器の表示画像部分３１ａは、元の画像である図５の表示部２６に対して、画像が不鮮明になる。
【００４４】
次に撮影画像中に矩形で囲まれた画像があるか否かを判断する（ステップＡ２）。一般に画像表示装置は矩形であることが多い為である。ここで矩形は撮影対象物が矩形であることを意味する。撮影された画像における台形のエリアも矩形と判断する。矩形で囲まれた画像がない場合は、撮影画像内に表示画像を撮影した部分がないので撮影画像をそのまま画像出力部に出力し、その出力した画像を表示部に表示する（ステップＡ２：Ｎｏ→ステップＡ１５→ステップＡ１６）。
【００４５】
図６（ｂ）は、図６（ａ）の撮影画像の中の矩形部分を示す。このようにステップＡ２において、矩形で囲まれた画像があると判断された場合は、ステップＡ３に進み、矩形で囲まれた画像にノイズが入っているか否かが判断される。このノイズには、入力画像が静止画の場合は、画像のくすみや走査線上の画像の欠け等が該当し、入力画像が動画の場合は、前記のノイズの他に画面のちらつき等の画面変化が該当する。
【００４６】
ステップＡ３で、ノイズが入っていないと判断された場合は、矩形の画像は表示画像ではなく印刷等の画像であり、撮影画像内に表示画像を撮影した部分がないので撮影画像をそのまま画像出力部に出力し、その出力した画像を表示部に表示する（ステップＡ３：Ｎｏ→ステップＡ１５→ステップＡ１６）。
【００４７】
ステップＡ３で、  図６（ｂ）のようにノイズが入っていると判断された場合は、ステップＡ４に進み、近距離の電子機器があるか否かが検知される。この画像処理装置１０は、無線等により、周辺の他の通信機能付き機器とよる近距離通信を行う。他の通信機能付き機器には、通信機能付き表示装置２０が含まれる。各通信機能付き機器は、自己の機器の種類の情報を含む機器情報を発信するとともに、他の通信機能付き機器からのその機器情報を受信する。このようにして、他の通信機能付き機器からの機器情報を受信があれば、近距離の電子機器があると検知される。
【００４８】
ステップＡ５で近距離の電子機器がないと判断された場合、撮影画像をそのまま画像出力部に出力し、その出力した画像をモニターするために表示部に表示する（ステップＡ５：Ｎｏ→ステップＡ１５→ステップＡ１６）。
【００４９】
ステップＡ５で近距離の電子機器があると判断された場合、ステップＡ６に進み、その機器情報がメモリ内に記憶した表示付き機器の機器情報１２ｂ２に該当するか否かを調べる。
【００５０】
ステップＡ６で、機器情報が表示付き機器でないと判断された場合、ステップＡ１１に進み、近距離通信によって他の近距離の機器情報を認識する。（ステップＡ６：Ｎｏ→ステップＡ１１）。
【００５１】
ステップＡ６で、機器情報が表示付き機器であると判断された場合、ステップＡ７に進み、近距離通信によってこの表示付き機器から通信画像データを取得する。次に取得された撮影画像の矩形内の画像と比較する（ステップＡ８）。
【００５２】
次にステップＡ９に進み、画像比較により類似度大でないと判断された場合、ステップＡ１１に進み、近距離通信によって他の近距離の機器情報を認識する。（ステップＡ９：Ｎｏ→ステップＡ１１）。
【００５３】
一方、ステップＡ９で画像比較により類似度大と判断された場合、ステップＡ１０に進み、受信した画像データに対する画像を、撮影画像の矩形部分の形状・サイズ等にあわせて、変形・トリミングして、撮影画像中の矩形部分に置き換えて合成する。この合成画像はメモリ１２ｄに記憶される。
【００５４】
次にステップＡ１１に進み、近距離通信によって他の近距離の機器情報を認識する。そして他の近距離の電子機器があった場合は、ステップＡ６へ戻って、その電子機器について上記と同様の合成処理をおこなう（ステップＡ１１：Ｙｅｓ→ステップＡ６）。
【００５５】
ステップＡ１１で他の近距離の電子機器がないと判断された場合は、全ての近距離の通信機器について可能な合成処理が終了したので、ステップＡ１３に進み、上記処理において合成画像が作成され、メモリ１２ｄに存在するか否かを調べる。
【００５６】
ステップＡ１３で合成画像が作成されたと判断された場合は、ステップＡ１４に進み、合成画像を画像出力部に出力する。出力された画像データは、例えば画像出力部１９ｂに接続された画像記録装置３０に送られ、画像記録される。
【００５７】
次にステップＡ１６に進み、出力した画像をモニターするために表示部に表示する。
【００５８】
ステップＡ１３で合成画像がない判断された場合は、ステップＡ１５に進み、元の撮影画像をそのまま画像出力部に出力し、その出力した画像をモニターするために表示部に表示する（ステップＡ１３：Ｎｏ→ステップＡ１５→ステップＡ１６）。
【００５９】
以上のように、本実施の形態における画像処理装置１０によれば、入力された画像のうち、表示機器で表示された部分の撮影画像を表示機器から直接受信した表示データによる表示画像に置き換えて構成することによって、表示画像を含む撮影画像を、鮮明な画像にすることができる。したがって、表示画像を撮影される際のにじみやちらつき等の種々の問題がない、鮮明な画像を誰でも容易に取得することかできる。
【００６０】
なお、本実施例においては、画像撮影装置４０及び画像処理装置１０を別体として構成したが、同一筐体に配置される一体型としてもよい。また、本実施例においては、画像記録装置３０及び画像処理装置１０を別体として構成したが、同一筐体に配置される一体型としてもよい。また、本発明は、動画・静止画のどちらの撮影画像についても、同様に、実施することができ、表示画像を含む撮影画像を、鮮明な画像にすることができる。
【００６１】
【発明の効果】
請求項１記載の発明によれば、撮影画像内の表示機器の表示画像部分が不鮮明であっても、元の表示データによる鮮明な表示画像に置き換えた合成画像にすることができる。従って、表示画像を撮影する為の特別な技術を必要とせず、きわめて簡単に元の表示画像同等のきわめて鮮明な撮影画像を得ることができ、更に、撮影画像内の表示画像部分と、表示装置から直接受信した画像データの画像を比較して、比較結果に従って、撮影画像に表示装置の画像が含まれるか否かを判断するようにしたので、撮影した表示画像と異なる画像データを受信しても、誤って合成してしまうことがなく、正しく合成処理ができる。例えば、複数の表示装置が近くにある場合に、撮影した表示画像と別の表示装置から画像データを受信して合成してしまうことがない。特に、ショーの会場等では、複数の表示装置が接近して設置されることが多く、このような場合でも、撮影した表示画像に対応する画像データを誤りなく、画像合成することができる。
【図面の簡単な説明】
【図１】画像処理装置１０の内部構成を示すブロック図。
【図２】表示機器２０の内部構成を示すブロック図。
【図３】表示機器２０のＣＰＵ２１によって実行される表示データ送信処理の動作を示すフローチャート。
【図４】画像処理装置１０のＣＰＵ１１によって実行される画像処理の動作を示すフローチャート。
【図５】本発明に係る画像処理装置１０を用いて、表示機器２０の表示画面を含む鮮明な撮影画像を得る際の撮影例。
【図６】（ａ）は、表示機器の表示画面を含む画像を、画像撮影装置４０で撮影した撮影画像。
（ｂ）は、撮影画像から検知された表示画像。
（ｃ）は、表示機器２０から通信により取得された表示データの画像。
（ｄ）は、本実施例において画像処理装置１０によって、画像処理により合成された合成画像。
【符号の説明】
１０  画像処理装置
１１  ＣＰＵ
１２  メモリ
１３  記憶媒体
１４  記憶媒体読み取り部
１５  入力部
１６  表示部
１７  近距離通信部
１８  伝送制御部
１９ａ  画像入力部
１９ｂ  画像出力部
２０  表示機器
２１  ＣＰＵ
２２  メモリ
２３  記憶媒体
２４  記憶媒体読取部
２５  入力部
２６  表示部
２７  近距離通信部
２８  伝送制御部
２９  操作装置入力部
３０  画像記録装置
４０  画像撮影装置
５０  ネットワーク
７０  操作装置
【図１】
0004164985.tif 000002
【図２】
0004164985.tif 000003
【図３】
0004164985.tif 000004
【図４】
0004164985.tif 000005
【図５】
0004164985.tif 000006
【図６】
0004164985.tif 000007